(57)【要約】      （修正有）【課題】容易に折り畳み可能な傘の骨組みを提供する。【解決手段】中棒１を含み、上ロクロ２は中棒の先端に固定して取り付けられ、下ロクロ１５は中棒の外表面に可動に外嵌され、中棒の右側にある受骨３は下ロクロの先端の内部にヒンジ接続され、補助骨は上ロクロの右側の内部にヒンジ接続され、補助骨の中央部分は受骨の頂部にヒンジ接続され、連棒５は受骨の先端にヒンジ接続されている。傘の骨組みにおいては、第１収納溝と第２収納溝が設置され、下ロクロを下へ移動させると、受骨、補助骨４、連棒の協働により、元親骨８と細骨１０は、第１収納溝と第２収納溝の内部に収納されて保管されるまで連棒の右側に向かって移動し続け、これによって折畳後の傘のサイズを効果的に小さくし、傘の骨組みの実用性を高める。【選択図】図１
0003230415.tif 000002
【実用新案登録請求の範囲】
【請求項１】
中棒（１）を含む傘の骨組みであって、
上ロクロ（２）は前記中棒（１）の先端に固定して取り付けられ、
下ロクロ（１５）は前記中棒（１）の外表面に可動に外嵌され、
中棒（１）の右側にある受骨（３）は前記下ロクロ（１５）の先端の内部にヒンジ接続され、
補助骨（４）は前記上ロクロ（２）の右側の内部にヒンジ接続され、
前記補助骨（４）の中央部分は受骨（３）の頂部にヒンジ接続され、
連棒（５）は前記受骨（３）の先端にヒンジ接続され、
接合具（７）は前記連棒（５）の底端に固定して取り付けられ、
つなぎ部（６）は前記補助骨（４）の底端にヒンジ接続され、
前記つなぎ部（６）の中央部分は、接合具（７）の内部にヒンジ接続され、
元親骨（８）は前記つなぎ部（６）の先端に固定して取り付けられ、
先親骨（９）は前記元親骨（８）の先端にヒンジ接続され、
細骨（１０）は前記先親骨（９）の先端にヒンジ接続され、
前記細骨（１０）の底端は、連棒（５）の底端の内部にヒンジ接続されている、
ことを特徴とする傘の骨組み。
【請求項２】
前記連棒（５）の右側の内部に第１収納溝（１１）が開設され、
前記接合具（７）の右側の内部に第２収納溝（１２）が開設され、
前記第１収納溝（１１）と第２収納溝（１２）は互いに連通される、
ことを特徴とする請求項１に記載の傘の骨組み。
【請求項３】
前記中棒（１）の外表面に可動部（１３）が下ロクロ（１５）の上方に可動に外嵌され、
前記中棒（１）の外表面に上ロクロ（２）の底部と可動部（１３）の頂部の間に可撓ばね（１４）が可動に外嵌される、
ことを特徴とする請求項１に記載の傘の骨組み。
【請求項４】
前記可撓ばね（１４）の一端は上ロクロ（２）の底部に固定して接続され、
前記可撓ばね（１４）の他端は可動部（１３）の頂部に固定して接続される、
ことを特徴とする請求項３に記載の傘の骨組み。
【請求項５】
前記第１収納溝（１１）と第２収納溝（１２）の長さの合計が、元親骨（８）と細骨（１０）の長さよりも長く、
前記第１収納溝（１１）と第２収納溝（１２）の内部はいずれも滑らかである、
ことを特徴とする請求項２に記載の傘の骨組み。
【考案の詳細な説明】
【技術分野】
【０００１】
本考案は、傘の技術分野に関し、具体的に容易に折り畳み可能な傘の骨組みに関する。
【背景技術】
【０００２】
傘は、昼光を遮光し日陰になって涼しい環境を提供したり、雨や雪等を遮る用具であり、通常、伸縮性のある布、及び骨組みに用いるその他の材料と縫い糸などの材料でできている。
【０００３】
現在、既存の傘は、実使用の際に、使い勝手及び折り畳み機能に優れているが、傘を折り畳む途中で、構成部品である傘骨を効果的に収納して保管することができず、折畳後の傘のサイズが大きいとともに、既存の傘の傘骨はその収納時の収縮スペースが限られ、傘の開閉がスムーズではなく、狭いスペースで大ストロークが得られず、ユーザに不便をかけるため、改良の必要がある。
【考案の概要】
【考案が解決しようとする課題】
【０００４】
従来技術の不足を鑑みて、本考案は、容易に折り畳み可能な傘の骨組みを提供しており、傘骨の収納・保管が容易で、傘の折り畳みのサイズが小さく、傘の収納と使用に便利であるという利点があり、かつ実使用の際に、既存の傘は実用及び折畳機能に優れているが、傘の折畳時、構成部品である傘骨を効果的に収納・保管不能であり、折畳後の傘のサイズが大きいとともに、既存の傘の傘骨は収納時の収納スペースが限られ、傘の開閉がスムーズではなく、狭いスペースで大ストロークが得られず、ユーザに不便をかけるという問題を解決した。
本考案は以下の技術案を提供する。
【課題を解決するための手段】
【０００５】
中棒を含む容易に折り畳む傘の骨組みであって、上ロクロは前記中棒の先端に固定して取り付けられ、下ロクロは前記中棒の外表面に可動に外嵌され、中棒の右側にある受骨は前記下ロクロの先端の内部にヒンジ接続され、補助骨は前記上ロクロの右側の内部にヒンジ接続され、前記補助骨の中央部分は、受骨の頂部にヒンジ接続され、連棒は前記受骨の先端にヒンジ接続され、接合具は前記連棒の底端に固定して取り付けられ、つなぎ部は前記補助骨の底端にヒンジ接続され、前記つなぎ部の中央部分は接合具の内部にヒンジ接続され、元親骨は前記つなぎ部の先端に固定して取り付けられ、先親骨は前記元親骨の先端にヒンジ接続され、細骨は前記先親骨の先端にヒンジ接続され、前記細骨の底端は連棒の底端の内部にヒンジ接続されている。
【０００６】
好ましくは、前記連棒の右側の内部には第１収納溝が開設され、前記接合具の右側の内部には第２収納溝が開設され、第１収納溝と第２収納溝は互いに連通される。
【０００７】
好ましくは、前記中棒の外表面に可動部が下ロクロの上方に可動に外嵌され、前記中棒の外表面に上ロクロの底部と可動部の頂部の間に可撓ばねが可動に外嵌される。
好ましくは、前記可撓ばねの一端は上ロクロの底部に固定して接続され、前記可撓ばねの他端は可動部の頂部に固定して接続される。
【０００８】
好ましくは、前記第１収納溝と第２収納溝の長さの合計が、元親骨と細骨の長さよりも長く、前記第１収納溝と第２収納溝の内部はいずれも滑らかである。
従来技術と比較して、本考案は以下の効果を奏する。
【０００９】
１、該容易に折り畳み可能な傘の骨組みにおいては、第１収納溝と第２収納溝が設置されており、下ロクロを下へ移動させると、受骨、補助骨、連棒の協働により、元親骨と細骨は、第１収納溝と第２収納溝の内部に収納されるまで連棒の右側に向かって移動し続け、これによって折畳後の傘のサイズを効果的に小さくし、該傘の骨組みの実用性を高める。
【００１０】
２、該容易に折り畳み可能な傘の骨組みにおいては、補助骨、つなぎ部、接合具、元親骨が設置されており、下ロクロを下へ移動させると、受骨と補助骨が連棒、つなぎ部と接合具を駆動して収縮させると同時に、元親骨と細骨の協働により、先親骨を駆動して折り畳ませ、その結果、限られた範囲内で大ストロークが得られ、傘の開閉がよりスムーズになり、使い勝手が良くなり、それにより該傘の骨組みの実用性をさらに高める。
【００１１】
３、該容易に折り畳み可能な傘の骨組みにおいては、可動部と可撓ばねが設置されており、可動部に接触するまで下ロクロを上へ移動させることにより、可撓ばねの圧縮ができるため、下ロクロは移動から固定までの過程中でより安定するようになり、それによって該傘の骨組みの実用性を高める。
【図面の簡単な説明】
【００１２】
【図１】本考案の構造の概略図；
【図２】本考案の連棒と接合具の側面局部断面構造の概略図；
【図３】本考案の構造Ａにおける部分拡大概略図である。
【考案を実施するための形態】
【００１３】
以下、本考案の実施例の図面を組み合わせた上で、本考案の実施例の技術案を明確且つ完全に説明する。明らかに、説明する実施例は、本考案の全部ではなく、その一部だけである。当業者は、本考案の実施例に基づいて、創造的な労力を費やせずに得られるほかのすべての実施例はいずれも本考案の保護範囲内に含まれる。
【００１４】
図１〜３に示すように、中棒１を含み、容易に折り畳み可能な傘の骨組みであって、
上ロクロ２は中棒１の先端に固定して取り付けられ、中棒１の外表面には可動部１３が下ロクロ１５の上方に可動に外嵌され、中棒１の外表面には可撓ばね１４が上ロクロ２の底部と可動部１３の頂部の間に可動に外嵌され、
【００１５】
可撓ばね１４の一端は上ロクロ２の底部に固定して接続されており、可撓ばね１４の他端は可動部１３の頂部に固定して接続され、
下ロクロ１５は中棒１の外表面に可動に外嵌され、
【００１６】
中棒１の右側にある受骨３は下ロクロ１５の先端の内部にヒンジ接続され、
補助骨４は上ロクロ２の右側の内部にヒンジ接続され、補助骨４の中央部分は、受骨３の頂部にヒンジ接続され、
連棒５は受骨３の先端にヒンジ接続され、第１収納溝１１は連棒５の右側の内部に開設され、
【００１７】
第１収納溝１１と第２収納溝１２の長さの合計は、元親骨８と細骨１０の長さよりも大きく、第１収納溝１１と第２収納溝１２の内部はいずれも滑らかであり、
接合具７の右側の内部に第２収納溝１２が開設され、第１収納溝１１と第２収納溝１２は、互いに連通され、接合具７は連棒５の底端に固定して取り付けられ、
【００１８】
つなぎ部６は補助骨４の底端にヒンジ接続され、つなぎ部６の中央部分は、接合具７の内部にヒンジ接続され、
【００１９】
元親骨８はつなぎ部６の先端に固定して取り付けられ、
先親骨９は元親骨８の先端にヒンジ接続され、
細骨１０は、先親骨９の先端にヒンジ接続され、細骨１０の底端は、連棒５の底端の内部にヒンジ接続される。
【００２０】
動作中、ユーザが傘を折り畳む際に、まず下ロクロ１５を下へ移動させ、受骨３と補助骨４を収縮させ、同時に、補助骨４、連棒５と接合具７とはつなぎ部６を駆動して収縮させ、且つ、それぞれ第１収納溝１１と第２収納溝１２の内部に収納されて保管されるまで元親骨８と細骨１０は引き続き連棒５の右側に近づく。この過程中では、元親骨８と細骨１０の間の協働により、先親骨９が折り畳まれ、それによって傘の骨組みの体積が小さくなる。
【００２１】
本考案の実施例に対して開示及び説明を行ったが、当業者は、本考案の原理および趣旨を逸脱することなく、これらの実施形態に対して様々な変更、修正、置換および変形を行うことができると理解し得、本考案の範囲は、添付の特許請求の範囲およびそれらの均等物によって限定される。
【符号の説明】
【００２２】
１、中棒；２、上ロクロ；３、受骨；４、補助骨；５、連棒；６、つなぎ部；７、接合具；８、元親骨；９、先親骨；１０、細骨；１１、第１収納溝；１２、第２収納溝；１３、可動部；１４、可撓ばね；１５、下ロクロ。
【図１】
0003230415.tif 000003
【図２】
0003230415.tif 000004
【図３】
0003230415.tif 000005